(57)【要約】【課題】  回路規模を低減しつつ、ソースラインにおける電圧変動を抑制する。【解決手段】  選択部１０３Ａは、表示データＤ−Ａに応じた階調電圧を駆動電圧Ｖａとして出力する。ソースラインLineS-Aに駆動電圧Ｖａを書き込む場合、スイッチ制御部１０１は、スイッチ１０５Ａ−１，１０５Ａ−２をオンにするとともにスイッチ１０６Ａをオフにする。一方、ソースラインLineS-Aに書き込んだ駆動電圧Ｖａを保持する場合、スイッチ制御部１０１は、スイッチ１０５Ａ−１，１０５Ａ−２をオフにするとともにスイッチ１０６Ａをオンにする。【選択図】  図２
2006285018.tif 000002
【特許請求の範囲】
【請求項１】
Ｐ本（Ｐは自然数）のソースラインを含む液晶表示パネルを駆動する装置であって、
互いに電圧値が異なるＮ個（Ｎは自然数）の階調電圧を生成する階調電圧生成部と、
入力された電圧を増幅するオペアンプと、
前記Ｐ本のソースラインに対応するＰ個の選択部と、
前記Ｐ個の選択部に対応するＰ個の接続切替部とを備え、
前記Ｐ個の選択部の各々は、
階調レベルを示す画素データを受け、前記階調電圧生成部によって生成されたＮ個の階調電圧のうち前記画素データに応じた階調電圧を選択して、その選択した階調電圧を出力し、
前記Ｐ個の接続切替部の各々は、
電圧書き込みモードと電圧保持モードとを有し、
前記電圧書き込みモードでは、
前記Ｐ個の選択部のうち自己に対応する選択部からの出力を前記オペアンプに供給し、かつ、前記Ｐ個のソースラインのうち自己に対応するソースラインにそのオペアンプからの出力を供給し、
前記電圧保持モードでは、
前記Ｐ個の選択部のうち自己に対応する選択部からの出力を前記Ｐ個のソースラインのうち自己に対応するソースラインに供給する、
ことを特徴とする液晶駆動装置。
【請求項２】
請求項１において、
前記Ｐ個の接続切替部の各々は、
前記Ｐ個の選択部のうちその接続切替部が対応する選択部と前記オペアンプとの間に接続される第１のスイッチと、
前記Ｐ個のソースラインのうちその接続切替部が対応するソースラインと前記オペアンプとの間に接続される第２のスイッチと、
前記Ｐ個の選択部のうちその接続切替部が対応する選択部と前記Ｐ個のソースラインのうちその接続切替部が対応するソースラインとの間に接続される第３のスイッチとを含み、
前記電圧書き込みモードでは、
前記第１および第２のスイッチの各々はオンになり、前記第３のスイッチがオフになり、
前記電圧保持モードでは、
前記第１および第２のスイッチの各々はオフになり、前記第３のスイッチがオンになる、
ことを特徴とする液晶駆動装置。
【請求項３】
請求項１において、
前記Ｐ個の接続切替部を制御する制御部をさらに備え、
前記制御部は、
前記Ｐ個の接続切替部のうちいずれか１つを電圧書き込みモードにし、第１の所定の期間が経過すると、その接続切替部を電圧書き込みモードから電圧保持モードに変更する、
ことを特徴とする液晶駆動装置。
【請求項４】
請求項３において、
前記制御部は、さらに、
前記Ｐ個の接続切替部の各々を少なくとも１回は電圧書き込みモードにする、
ことを特徴とする液晶駆動装置。
【請求項５】
請求項４において、
前記制御部は、さらに、
前記Ｐ個の接続切替部の各々に対するモード変更を完了すると、第２の所定の期間が経過するまで、前記Ｐ個の接続切替部のすべてを電圧保持モードにしたままでいる、
ことを特徴とする液晶駆動装置。
【請求項６】
請求項３において、
前記制御部は、さらに、
第２の所定の期間中、前記Ｐ個の接続切替部の各々に対するモード変更を複数回行う、
ことを特徴とする液晶駆動装置。
【請求項７】
請求項１において、
前記Ｐ個の接続切替部のうちいずれか１つが電圧書き込みモードであると前記オペアンプへ電力を供給し、前記Ｐ個の接続切替部のすべてが電圧保持モードであると前記オペアンプへの電力の供給を停止する電力制御部をさらに備える、
ことを特徴とする液晶駆動装置。
【請求項８】
請求項１において、
前記階調電圧生成部は、
第１の基準ノードと第２の基準ノードとの間に接続され、Ｎ個のタップを含むラダー抵抗と、
前記ラダー抵抗のＮ個のタップに対応するＮ個の増幅用オペアンプとを含み、
前記Ｎ個の増幅用オペアンプの各々は、
前記Ｎ個のタップのうち自己に対応するタップと前記Ｐ個の選択部の各々との間に接続される、
ことを特徴とする液晶駆動装置。
【請求項９】
請求項１において、
前記階調電圧生成部は、
第１の基準ノードと第２の基準ノードとの間に接続され、Ｎ個の第１タップを含む第１のラダー抵抗と、
第３の基準ノードと第４の基準ノードとの間に接続され、Ｎ個の第２タップを含む第２のラダー抵抗と、
前記Ｐ個の接続切替部のすべてが電圧保持モードであると、前記第１のラダー抵抗のＮ個の第１タップと前記第２のラダー抵抗のＮ個の第２タップとを一対一で接続するラダー抵抗接続部とを含む、
ことを特徴とする液晶駆動装置。
【請求項１０】
請求項９において、
前記階調電圧生成部は、さらに、
前記Ｐ個の接続切替部のうちいずれか１つが電圧書き込みモードであると前記第２のラダー抵抗へ電力を供給し、前記Ｐ個の接続切替部のすべてが電圧保持モードであると前記第２のラダー抵抗への電力の供給を停止する電力制御部を含む、
ことを特徴とする液晶駆動装置。
【請求項１１】
請求項１に記載の液晶駆動装置と、
前記Ｐ本のソースラインと、Ｑ本（Ｑは自然数）のゲートラインと、（Ｐ×Ｑ）個の画素セルとを含む液晶表示パネルと、
前記Ｑ個のゲートラインを駆動するゲートドライバとを備え、
前記（Ｐ×Ｑ）個の画素セルの各々は、スイッチング素子と、液晶素子とを含む、
ことを特徴とする液晶表示装置。
【請求項１２】
Ｐ本（Ｐは自然数）のソースラインを含む液晶表示パネルを駆動する装置であって、
互いに電圧値が異なるＮ個（Ｎは自然数）の階調電圧を生成する階調電圧生成部と、
入力された電圧を増幅するオペアンプと、
前記Ｐ本のソースラインに対応するＰ個の選択部と、
前記Ｐ個の選択部に対応するＰ個の第１のスイッチと、
前記Ｐ本のソースラインに対応するＰ個の第２のスイッチと、
前記Ｐ個の選択部に対応するＰ個の第３のスイッチとを備え、
前記Ｐ個の選択部の各々は、
階調レベルを示す画素データを受け、前記階調電圧生成部によって生成されたＮ個の階調電圧のうち前記画素データに応じた階調電圧を選択して、その選択した階調電圧を出力し、
前記Ｐ個の第１のスイッチの各々は、
前記Ｐ個の選択部のうち自己に対応する選択部と前記オペアンプとの間に接続され、
前記Ｐ個の第２のスイッチの各々は、
前記Ｐ本のうち自己に対応するソースラインと前記オペアンプとの間に接続され、
前記Ｐ個の第３のスイッチの各々は、
前記Ｐ個の選択部のうち自己に対応する選択部と前記Ｐ本のソースラインのうち自己に対応するソースラインとの間に接続される、
ことを特徴とする液晶駆動装置。
【請求項１３】
Ｐ本（Ｐは自然数）のソースラインを含む液晶表示パネルを駆動する方法であって、
前記方法は、
互いに電圧値が異なるＮ個（Ｎは自然数）の階調電圧を生成する工程（Ａ）と、
階調レベルを示す画素データを受け、前記工程（Ａ）において生成されたＮ個の階調電圧のうち前記画素データに応じた階調電圧を選択する工程（Ｂ）と、
前記工程（Ｂ）において選択された階調電圧を増幅し、その増幅した階調電圧を前記Ｐ本のソースラインのうちいずれか１つに供給する工程（Ｃ）と、
前記工程（Ｃ）の後、前記工程（Ｂ）において選択された階調電圧をそのソースラインに供給する工程（Ｄ）と行う、
ことを特徴とする液晶駆動方法。
【発明の詳細な説明】
【技術分野】
【０００１】
本発明は、液晶表示パネルを駆動する装置および液晶表示装置，液晶駆動方法に関する。
【背景技術】
【０００２】
近年、表示装置として液晶表示パネルを用いた液晶表示装置の躍進が著しい。この液晶表示装置は小型、軽量といった特徴があり、携帯端末などに広く使われている（例えば、特許第3281298号公報）。
【０００３】
＜従来の液晶駆動装置８２＞
従来の液晶表示装置に搭載される液晶駆動装置８２の構成を図１０に示す。この装置８２は、表示データＤＡＴＡ（１水平ライン分の表示データ）に含まれる画素データ（１画素分の表示データ）Ｄ−Ａ，Ｄ−Ｂ，Ｄ−Ｃに応じた駆動電圧Ｖａ，Ｖｂ，Ｖｃを生成し、生成した駆動電圧Ｖａ，Ｖｂ，ＶｃをソースラインLineS-A，LineS-B，LineS-Cに供給する。これにより、液晶表示パネル８０には、表示データＤＡＴＡに応じた画像が再現される。
【０００４】
液晶表示パネル８０は、ソースラインLineS-A，LineS-B，LineS-Cと、ゲートラインLineG-1，LineG-2，LineG-3と、マトリックス状に配置された画素セルＰＡ１〜ＰＡ３，ＰＢ１〜ＰＢ３，ＰＣ１〜ＰＣ３とを含む。画素セルＰＡ１〜ＰＡ３，ＰＢ１〜ＰＢ３，ＰＣ１〜ＰＣ３の各々は、スイッチング素子ＴＴと、液晶素子ＬＣとを含む。例えば、画素セルＰＡ１では、スイッチング素子ＴＴは、対応するソースライン（ソースラインLineS-A）と液晶素子ＬＣとの間に接続される。スイッチング素子ＴＴのゲートは、対応するゲートライン（ゲートラインLineG-1）に接続される。
【０００５】
図１０に示した液晶駆動装置８２の内部構成について説明する。この装置８２は、液晶表示パネル８０に含まれるソースライン（ここでは３本）の本数と同数の選択部（選択部８０３Ａ，８０３Ｂ，８０３Ｃ）とオペアンプ（オペアンプ８０４Ａ，８０４Ｂ，８０４Ｃ）とスイッチ（スイッチ８０５Ａ，８０５Ｂ，８０５Ｃ）とを備える。また、この装置８２は、Ｎ個（Ｎは自然数）の階調電圧を生成する階調電圧生成部８０２をさらに備える。
【０００６】
次に、図１０に示した液晶駆動装置８２による動作について図１１を参照しつつ説明する。
【０００７】
時刻ｔ８０からｔ８１までは垂直ブランキング期間である。このとき、スイッチ８０５Ａ〜８０５Ｃはオフである。また、ゲートラインLineG-1〜LineG-3の各々には、オフ電圧が供給されている。
【０００８】
時刻ｔ８１になると、ゲートラインLineG-1に所定の電圧（走査信号）が供給されて、画素セルＰＡ１，ＰＢ１，ＰＣ１のスイッチング素子ＴＴがオンになる。選択部８０３Ａは、外部からの表示データＤＡＴＡに含まれる画素データＤ−Ａに応じて、階調電圧生成部８２によって生成されたＮ個（Ｎは自然数）の階調電圧のうちいずれか１つを選択して、その選択した階調電圧を駆動電圧Ｖａとしてオペアンプ８０４Ａに出力する。同様に、選択部８０３Ｂ（８０３Ｃ）は、外部からの表示データＤＡＴＡに含まれる画素データＤ−Ｂ（Ｄ−Ｃ）に応じて、階調電圧生成部８２によって生成されたＮ個（Ｎは自然数）の階調電圧のうちいずれか１つを選択して、その選択した階調電圧を駆動電圧Ｖｂ（Ｖｃ）としてオペアンプ８０４Ｂ（８０４Ｃ）に出力する。
【０００９】
オペアンプ８０４Ａは、選択部８０３Ａからの駆動電圧Ｖａを増幅して、その増幅した駆動電圧Ｖａをスイッチ８０５Ａに出力する。同様に、オペアンプ８０４Ｂ（８０４Ｃ）は、選択部８０３Ｂ（８０３Ｃ）からの駆動電圧Ｖｂ（Ｖｃ）を増幅して、その増幅した駆動電圧Ｖｂ（Ｖｃ）をスイッチ８０５Ｂ（８０５Ｃ）に出力する。また、スイッチ８０５Ａ，８０５Ｂ，８０５Ｃの各々は、時刻ｔ８１になると、オンになる。これにより、ソースラインLineS-A（LineS-B，LineS-C)は、駆動電圧Ｖａ（Ｖｂ，Ｖｃ）の電圧値に到達するまでの間、充電／放電される（ソースラインLineS-A（LineS-B，LineS-C)に駆動電圧Ｖａ（Ｖｂ，Ｖｃ）が書き込まれる）。
【００１０】
次に、水平ブランキング期間になると、ゲートラインLineG-1に所定の電圧（走査信号）が供給されなくなり、画素セルＰＡ１，ＰＢ１，ＰＣ１のスイッチング素子ＴＴがオフになる。これにより、ソースラインLineS-A，LineS-B，LineS-Cにおける電圧（駆動電圧Ｖａ，Ｖｂ，Ｖｃ）が、画素セルＰＡ１，ＰＢ１，ＰＣ１に保持される。次に、スイッチ８０５Ａ，８０５Ｂ，８０５Ｃの各々は、オフになる。
【００１１】
次に、時刻ｔ８２になると（次の１水平ライン分の表示データＤＡＴＡが入力されると）、ゲートラインLineG-2に走査信号が供給されて、画素セルＰＡ２，ＰＢ２，ＰＣ２のスイッチング素子ＴＴがオンになる。次に、液晶駆動装置８２では、時刻ｔ８１の場合と同様の動作が行われる。
【００１２】
このようにして、画素データＤ−Ａ，Ｄ−Ｂ，Ｄ−Ｃに応じた駆動電圧Ｖａ，Ｖｂ，Ｖｃが液晶表示パネル８０の画素セルＰＡ１〜ＰＡ１，ＰＢ１〜ＰＢ３，ＰＣ１〜ＰＣ３の各々に書き込まれていく。
【００１３】
また、近年、液晶表示パネルの高精細化，高画質化に対する要求が高まってきている。この要望に応えようとすると、図１０に示した従来の液晶駆動装置８２の場合、液晶表示パネル８０に含まれるソースラインの増加に伴って液晶駆動装置の回路規模が非常に大きくなってしまう。
【００１４】
そこで、従来、図１２のような液晶表示パネル９０および液晶駆動装置９２が提案されている（例えば、特開2002-318566号公報）。
【００１５】
＜従来の液晶駆動装置９２＞
図１２に示した液晶表示パネル９０は、図１０に示した液晶表示パネル８０に加えて、スイッチ９０５Ａ，９０５Ｂ，９０５Ｃをさらに備える。図１２に示した液晶駆動装置９２は、階調電圧生成部９０２と、選択部９０３と、オペアンプ９０４とを備える。選択部９０３は、外部からの表示データＤＡＴＡを受けて、画素データＤ−Ａに応じた階調電圧，画素データＤ−Ｂに応じた階調電圧，画素データＤ−Ｃに応じた階調電圧を、画素データＤ−Ａから画素データＤ−Ｃの順番で選択する。また、選択部９０３は、画素データＤ−Ａに応じた階調電圧を駆動電圧Ｖａとして出力し、画素データＤ−Ｂに応じた階調電圧を駆動電圧Ｖｂとして出力し、画素データＤ−Ｃに応じた階調電圧を駆動電圧Ｖｃとして出力する。
【００１６】
液晶表示パネル９０のスイッチ９０５Ａは、選択部９０３が画素データＤ−Ａに応じた階調電圧を選択するときに、オンになる。スイッチ９０５Ｂは、選択部９０３が画素データＤ−Ｂに応じた階調電圧を選択するときに、オンになる。スイッチ９０５Ｃは、選択部９０３が画素データＤ−Ｃに応じた階調電圧を選択するときに、オンになる。
【００１７】
次に、図１２に示した液晶駆動装置９２およびスイッチ９０５Ａ，９０５Ｂ，９０５Ｃによる動作について説明する。
【００１８】
まず、選択部９０３は、外部からの表示データＤＡＴＡを受ける。このとき、ゲートラインLineG-1に所定の電圧（走査信号）が供給されて、画素セルＰＡ１，ＰＢ１，ＰＣ１のスイッチング素子ＴＴがオンになる。
【００１９】
次に、選択部９０３は、表示データＤＡＴＡに含まれる画素データＤ−Ａに応じた階調電圧を選択する。また、スイッチ９０５Ａは、オンになる。これにより、選択部９０３からの駆動電圧Ｖａは、オペアンプ９０４を介してソースラインLineS-Aに供給される。
【００２０】
次に、選択部９０３は、表示データＤＡＴＡに含まれる画素データＤ−Ｂに応じた階調電圧を選択する。また、スイッチ９０５Ｂはオンになり、スイッチ９０５Ａはオフになる。これにより、ソースラインLineS-Aは、オペアンプ９０４から切り離される（ソースラインLineS-Aに対する駆動電圧の書き込みが完了する）。また、選択部９０３からの駆動電圧Ｖｂは、オペアンプ９０４を介してソースラインLineS-Bに供給される。
【００２１】
次に、選択部９０３は、表示データＤＡＴＡに含まれる画素データＤ−Ｃに応じた階調電圧を選択する。また、スイッチ９０５Ｃはオンになり、スイッチ９０５Ｂはオフになる。これにより、ソースラインLineS-Bは、オペアンプ９０４から切り離される（ソースラインLineS-Bに対する駆動電圧の書き込みが完了する）。また、選択部９０３からの駆動電圧Ｖｃは、オペアンプ９０４を介してソースラインLineS-Cに供給される。
【００２２】
次に、例えば、ブランキング期間になると、ゲートラインLineG-1に所定の電圧（走査信号）が供給されなくなり、画素セルＰＡ１，ＰＢ１，ＰＣ１のスイッチング素子ＴＴがオフになる。これにより、画素セルＰＡ１，ＰＢ１，ＰＣ１にソースラインLineS-A，LineS-B，LineS-Cにおける電圧（駆動電圧Ｖａ，Ｖｂ，Ｖｃ）が書き込まれる。スイッチ９０５Ｃはオフになる。これにより、ソースラインLineS-Cは、オペアンプ９０４から切り離される。
【００２３】
次に、次の１水平ライン分の表示データＤＡＴＡが入力されると、ゲートラインLineG-2に走査信号が供給されて、画素セルＰＡ２，ＰＢ２，ＰＣ２のスイッチング素子ＴＴがオンになる。次に、液晶駆動装置９２では、上述の動作と同様の動作が行われる。
【００２４】
このように、ソースラインLineS-A，LineS-B，LineS-Cに対してオペアンプ９０４を順次割り当てることによって、複数のソースライン（ここでは、３つのソースラインLineS-A，LineS-B，LineS-C）に対する駆動電圧の書き込みを１つのオペアンプ９０４によって実現することができる。これにより、液晶駆動装置の回路規模を低減することができる。
【特許文献１】特許第3281298号公報
【特許文献２】特開2002-318566号公報
【発明の開示】
【発明が解決しようとする課題】
【００２５】
しかしながら、液晶表示パネルのソースラインにおける電圧は、スイッチング素子ＴＴにおけるリーク電流やソースラインが有する寄生容量等による影響を受けて、変動するおそれがある。例えば、スイッチング素子ＴＴのリーク電流が大きいほど、ソースラインにおける電圧の変動は大きくなる。図１０に示した液晶表示パネル８０では、画素セルＰＡ１にソースラインLineS-Aにおける電圧が保持されるまでの間、オペアンプ８０４Ａを介して駆動電圧ＶａがソースラインLineS-Aに供給される。したがって、ソースラインLineS-Aにおける電圧変動は抑制される。しかし、図１２に示した液晶表示パネル９０では、ソースラインLineS-Aへの駆動電圧Ｖａの書き込みが完了すると、そのソースラインLineS-Aは、オペアンプ９０４Ａから切り離されて駆動電圧Ｖａが供給されなくなる（ソースラインLineS-Aが高インピーダンス状態になる）。したがって、ソースラインLineS-Aの電圧変動は、顕著に現れる。ソースラインLineS-Aの電圧変動が生じると、液晶素子ＬＣへ書き込んだ電圧が変動することになり、液晶表示パネル９０に再現される画像の表示品質が劣化してしまう。また、ソースラインLineS-B，LineS-Cにおいても、同様の現象が発生する。
【００２６】
一般的に、液晶表示パネルのスイッチング素子ＴＴには、アモルファスＴＦＴ（Thin Film Transistor）が用いられる。しかし、アモルファスＴＦＴのリーク電流は比較的大きいので、図１２に示した液晶表示パネル９０のスイッチング素子ＴＴや特開2002-318566号公報に示された液晶表示パネルのスイッチング素子としてアモルファスＴＦＴを用いた場合、それらアモルファスＴＦＴのリーク電流による影響は無視できない。このようなソースラインの電圧変動を抑制する方法として、リーク電流の小さいスイッチング素子（例えば、ポリシリコンＴＦＴ）を用いることが考えられる。しかし、ポリシリコンＴＦＴは、アモルファスＴＦＴよりも製造コストが高価である。
【００２７】
本発明は、回路規模を低減でき、かつ、ソースラインの電圧変動を抑制することができる液晶駆動装置および液晶表示装置を提供することを目的とする。
【課題を解決するための手段】
【００２８】
この発明の１つの局面に従うと、液晶駆動装置は、Ｐ本（Ｐは自然数）のソースラインを含む液晶表示パネルを駆動する。液晶駆動装置は、階調電圧生成部と、オペアンプと、Ｐ個の選択部と、Ｐ個の接続切替部とを備える。階調電圧生成部は、互いに電圧値が異なるＮ個（Ｎは自然数）の階調電圧を生成する。オペアンプは、入力された電圧を増幅する。Ｐ個の選択部は、上記Ｐ本のソースラインに対応する。Ｐ個の接続切替部は、上記Ｐ個の選択部に対応する。上記Ｐ個の選択部の各々は、階調レベルを示す画素データを受け、上記階調電圧生成部によって生成されたＮ個の階調電圧のうち上記画素データに応じた階調電圧を選択して、その選択した階調電圧を出力する。上記Ｐ個の接続切替部の各々は、電圧書き込みモードと電圧保持モードとを有する。また、上記Ｐ個の接続切替部の各々は、上記電圧書き込みモードでは、上記Ｐ個の選択部のうち自己に対応する選択部からの出力を上記オペアンプに供給し、かつ、上記Ｐ個のソースラインのうち自己に対応するソースラインにそのオペアンプからの出力を供給する。また、上記Ｐ個の接続切替部の各々は、上記電圧保持モードでは、上記Ｐ個の選択部のうち自己に対応する選択部からの出力を上記Ｐ個のソースラインのうち自己に対応するソースラインに供給する。
【００２９】
上記液晶駆動装置では、選択部からの階調電圧をオペアンプを介してソースラインに供給することによって、ソースラインへの階調電圧の書き込み（ソースラインの充電／放電）を迅速に行うことができる。また、ソースラインには選択部から階調電圧を供給することによって、ソースラインにおける電圧変動を抑制することができる。また、従来と比較すると、オペアンプの個数を少なくすることができるので、液晶駆動装置の回路規模を低減することができる。
【００３０】
好ましくは、上記Ｐ個の接続切替部の各々は、第１のスイッチと、第２のスイッチと、第３のスイッチとを含む。第１のスイッチは、上記Ｐ個の選択部のうちその接続切替部が対応する選択部と上記オペアンプとの間に接続される。第２のスイッチは、上記Ｐ個のソースラインのうちその接続切替部が対応するソースラインと上記オペアンプとの間に接続される。第３のスイッチは、上記Ｐ個の選択部のうちその接続切替部が対応する選択部と上記Ｐ個のソースラインのうちその接続切替部が対応するソースラインとの間に接続される。上記電圧書き込みモードでは、上記第１および第２のスイッチの各々はオンになり、上記第３のスイッチがオフになる。上記電圧保持モードでは、上記第１および第２のスイッチの各々はオフになり、上記第３のスイッチがオンになる。
【００３１】
好ましくは、上記液晶駆動装置は、上記Ｐ個の接続切替部を制御する制御部をさらに備える。上記制御部は、上記Ｐ個の接続切替部のうちいずれか１つを電圧書き込みモードにする。また、上記制御部は、第１の所定の期間が経過すると、その接続切替部を電圧書き込みモードから電圧保持モードに変更する。
【００３２】
上記液晶駆動装置では、ソースラインにおける電圧の電圧値が階調電圧の電圧値に達するまでの間、選択部からの階調電圧をオペアンプを介してソースラインに供給する。また、ソースラインにおける電圧の電圧値が階調電圧の電圧値に達した後、ソースラインには選択部からの駆動電圧が供給される。これにより、ソースラインに対する階調電圧の書き込みを迅速に行うことができ、かつ、ソースラインにおける電圧変動を抑制することができる。
【００３３】
好ましくは、上記制御部は、さらに、上記Ｐ個の接続切替部の各々を少なくとも１回は電圧書き込みモードにする。
【００３４】
上記液晶駆動装置では、すべてのソースラインに対してオペアンプを用いた駆動電圧の書き込みを行うことができる。
【００３５】
好ましくは、上記制御部は、さらに、上記Ｐ個の接続切替部の各々に対するモード変更を完了すると、第２の所定の期間が経過するまで、上記Ｐ個の接続切替部のすべてを電圧保持モードにしたままでいる。
【００３６】
上記液晶駆動装置では、すべてのソースラインに対して階調電圧の書き込みが完了すると、すべての接続切替部は、第２の所定の期間が経過するまでの間、電圧保持モードになる。これにより、オペアンプにおける電流特性のばらつきによる影響を抑制することができる。
【００３７】
好ましくは、上記制御部は、さらに、第２の所定の期間中、上記Ｐ個の接続切替部の各々に対するモード変更を複数回行う。
【００３８】
上記液晶駆動装置では、例えば、１水平ライン期間中に、ソースラインに対する階調電圧の書き込みを複数回に分けて行う。したがって、各々のソースラインにおいて階調電圧の書き込みが完了する時刻をほぼ同一にすることができる。これにより、各々のソースラインにおける電圧変動量を均一にすることができる。
【００３９】
好ましくは、上記液晶駆動措置は、電力制御部をさらに備える。電力制御部は、上記Ｐ個の接続切替部のうちいずれか１つが電圧書き込みモードであると、上記オペアンプへ電力を供給する。また、電力制御部は、上記Ｐ個の接続切替部のすべてが電圧保持モードであると、上記オペアンプへの電力の供給を停止する。
【００４０】
上記液晶駆動装置では、オペアンプを使用する場合にはオペアンプを駆動し、オペアンプを使用しない場合にはオペアンプを停止する。これにより、オペアンプによる電力消費を低減することができる。
【００４１】
好ましくは、上記階調電圧生成部は、ラダー抵抗と、Ｎ個の増幅用オペアンプとを含む。ラダー抵抗は、第１の基準ノードと第２の基準ノードとの間に接続され、Ｎ個のタップを含む。Ｎ個の増幅用オペアンプは、上記ラダー抵抗のＮ個のタップに対応する。上記Ｎ個の増幅用オペアンプの各々は、上記Ｎ個のタップのうち自己に対応するタップと上記Ｐ個の選択部の各々との間に接続される。
【００４２】
上記液晶駆動装置では、Ｎ個のオペアンプの各々は、ラダー抵抗によって生成されたＮ個の階調電圧のうち自己に対応する階調電圧を増幅する（階調電圧のインピーダンスが低くなる）。これにより、ソースラインにおける電圧変動を、さらに抑制することができる。また、オペアンプにおける電流特性のばらつきによる影響をさらに抑制することができる。
【００４３】
好ましくは、上記階調電圧生成部は、第１のラダー抵抗と、第２のラダー抵抗と、ラダー抵抗接続部とを含む。第１のラダー抵抗は、第１の基準ノードと第２の基準ノードとの間に接続され、Ｎ個の第１タップを含む。第２のラダー抵抗は、第３の基準ノードと第４の基準ノードとの間に接続され、Ｎ個の第２タップを含む。ラダー抵抗接続部は、上記Ｐ個の接続切替部のすべてが電圧保持モードであると、上記第１のラダー抵抗のＮ個の第１タップと上記第２のラダー抵抗のＮ個の第２タップとを一対一で接続する。
【００４４】
上記液晶駆動装置では、第１のラダー抵抗のＮ個の第１タップには、Ｎ個の階調電圧が発生する。また、すべてのソースラインに対する階調電圧の書き込みが完了すると、ラダー抵抗接続部は、第１のラダー抵抗のＮ個の第１タップと第２のラダー抵抗のＮ個の第２タップと接続する。第１のラダー抵抗のＮ個の第１タップと第２のラダー抵抗のＮ個の第２タップとが接続されると、Ｎ個の第１タップの各々に流れる電流が多くなる。したがって、ソースラインにおける電圧変動をさらに抑制することができる。また、オペアンプの電流特性のばらつきによる影響をさらに抑制することができる。
【００４５】
好ましくは、上記階調電圧生成部は、さらに、電力制御部を含む。電力制御部は、上記Ｐ個の接続切替部のうちいずれか１つが電圧書き込みモードであると、上記第２のラダー抵抗へ電力を供給する。また、電力制御部は、上記Ｐ個の接続切替部のすべてが電圧保持モードであると上記第２のラダー抵抗への電力の供給を停止する。
【００４６】
上記液晶駆動装置では、第２のラダー抵抗を使用する場合には第２のラダー抵抗に電力を供給し、第２のラダー抵抗を使用しない場合には第２のラダー抵抗への電力供給を停止する。これにより、ラダー抵抗による電力消費を低減することができる。
【００４７】
好ましくは、液晶表示装置は、上記液晶駆動装置と、液晶表示パネルと、ゲートドライバとを備える。液晶表示パネルは、上記Ｐ本のソースラインと、Ｑ本（Ｑは自然数）のゲートラインと、（Ｐ×Ｑ）個の画素セルとを含む。ゲートドライバは、上記Ｑ個のゲートラインを駆動する。上記（Ｐ×Ｑ）個の画素セルの各々は、スイッチング素子と、液晶素子とを含む。
【００４８】
上記液晶表示装置では、液晶表示パネルのソースラインへの階調電圧の書き込みを迅速に行うことができる。これにより、液晶表示パネルに表示する画像の切替を迅速に行うことができる。また、液晶表示パネルのソースラインにおける電圧変動を抑制することができる。これにより、液晶表示パネルに再現される画像の表示品質を向上することができる。また、液晶表示装置の回路規模を低減することができる。
【００４９】
この発明のさらにもう１つの局面に従うと、液晶駆動装置は、Ｐ本（Ｐは自然数）のソースラインを含む液晶表示パネルを駆動する。液晶駆動装置は、階調電圧生成部と、オペアンプと、Ｐ個の選択部と、Ｐ個の第１のスイッチと、Ｐ個の第２のスイッチと、Ｐ個の第３のスイッチとを備える。階調電圧生成部は、互いに電圧値が異なるＮ個（Ｎは自然数）の階調電圧を生成する。オペアンプは、入力された電圧を増幅する。Ｐ個の選択部は、上記Ｐ本のソースラインに対応する。Ｐ個の第１のスイッチは、上記Ｐ個の選択部に対応する。Ｐ個の第２のスイッチは、上記Ｐ本のソースラインに対応する。Ｐ個の第３のスイッチは、上記Ｐ個の選択部に対応する。上記Ｐ個の選択部の各々は、階調レベルを示す画素データを受け、上記階調電圧生成部によって生成されたＮ個の階調電圧のうち上記画素データに応じた階調電圧を選択して、その選択した階調電圧を出力する。上記Ｐ個の第１のスイッチの各々は、上記Ｐ個の選択部のうち自己に対応する選択部と上記オペアンプとの間に接続される。上記Ｐ個の第２のスイッチの各々は、上記Ｐ本のうち自己に対応するソースラインと上記オペアンプとの間に接続される。上記Ｐ個の第３のスイッチの各々は、上記Ｐ個の選択部のうち自己に対応する選択部と上記Ｐ本のソースラインのうち自己に対応するソースラインとの間に接続される。
【００５０】
上記液晶駆動装置では、Ｐ個の第１のスイッチのうちいずれか１つをオンにしそのオンにした第１のスイッチに対応する第２のスイッチをオンにするとともにそのオンにした第１のスイッチに対応する第３のスイッチをオフにすれば、そのオンにした第１のスイッチに対応するソースラインに選択部からの階調電圧（オンにした第１のスイッチ対応する選択部からの階調電圧）を迅速に書き込むことができる。また、その第１および第２のスイッチがオフでありその第３のスイッチがオンである場合、その選択部からの階調電圧は、第３のスイッチを介してソースラインに供給される。これにより、ソースラインにおける電圧変動を抑制することができる。
【００５１】
この発明のさらにもう１つの局面に従うと、液晶駆動方法は、Ｐ本（Ｐは自然数）のソースラインを含む液晶表示パネルを駆動する方法である。上記方法では、工程（Ａ）と、工程（Ｂ）と、工程（Ｃ）と、工程（Ｄ）と行う。工程（Ａ）では、互いに電圧値が異なるＮ個（Ｎは自然数）の階調電圧を生成する。工程（Ｂ）では、外部から画素データを受け、上記工程（Ａ）において生成されたＮ個の階調電圧のうち上記画素データに応じた階調電圧を選択する。工程（Ｃ）では、上記工程（Ｂ）において選択された階調電圧を増幅し、その増幅した階調電圧を上記Ｐ本のソースラインのうちいずれか１つに供給する。工程（Ｄ）では、上記工程（Ｃ）の後、上記工程（Ｂ）において選択された階調電圧をそのソースラインに供給する。
【００５２】
上記液晶駆動方法では、ソースラインに対する階調電圧の書き込みが完了した後に、そのソースラインには選択部からの階調電圧が供給される。これにより、ソースラインにおける電圧変動を抑制することができる。
【発明の効果】
【００５３】
以上のように、ソースラインへの階調電圧の書き込み（ソースラインの充電／放電）を迅速に行うことができる。ソースラインにおける電圧変動を抑制することができる。液晶駆動装置の回路規模を低減することができる。
【発明を実施するための最良の形態】
【００５４】
以下、この発明の実施の形態を図面を参照して詳しく説明する。なお、図中同一または相当部分には同一の符号を付しその説明は繰り返さない。
【００５５】
（第１の実施形態）
＜構成＞
この発明の第１の実施形態による液晶表示装置の全体構成を図１に示す。この装置は、複数の表示データＤＡＴＡ（１水平ライン分の表示データ）を順次入力し、それら表示データＤＡＴＡに応じた画像を液晶表示パネル１０に再現する。
【００５６】
この装置は、液晶表示パネル１０と、コントローラ１１と、液晶駆動部１２と、ゲートドライバ１３とを備える。
【００５７】
液晶表示パネル１０は、ソースラインLineS-A，LineS-B，LineS-Cと、ゲートラインLineG-1，LineG-2，LineG-3と、マトリックス状に配置された画素セルＰＡ１〜ＰＡ３，ＰＢ１〜ＰＢ３，ＰＣ１〜ＰＣ３とを含む。画素セルＰＡ１〜ＰＡ３，ＰＢ１〜ＰＢ３，ＰＣ１〜ＰＣ３の各々は、スイッチング素子ＴＴと、液晶素子ＬＣとを含む。画素セルＰＡ１では、スイッチング素子ＴＴは、対応するソースライン（ソースラインLineS-A）と液晶素子ＬＣとの間に接続される。スイッチング素子ＴＴのゲートは、対応するゲートライン（ゲートラインLineG-1）に接続される。液晶素子ＬＣは、スイッチング素子ＴＴと対向電極ＶＣＯＭとの間に接続される。他の画素セルＰＡ２，ＰＡ３，ＰＢ１〜ＰＢ３，ＰＣ１〜ＰＣ３も、画素セルＰＡ１と同様の構成である。
【００５８】
コントローラ１１は、表示データＤＡＴＡを液晶駆動部１２に出力する。また、コントローラ１１は、走査制御信号をゲートドライバ１３に出力する。表示データＤＡＴＡは、１水平ライン分の表示データであり、複数の画素データＤ−Ａ，Ｄ−Ｂ，Ｄ−Ｃを含む。画素データＤ−Ａ，Ｄ−Ｂ，Ｄ−Ｃは、対応する１つの画素セルに書き込むべき駆動電圧の電圧レベルを示す。
【００５９】
液晶駆動部１２は、コントローラ１１からの表示ＤＡＴＡに応じて、その表示データに含まれる画素データＤ−Ａ，Ｄ−Ｂ，Ｄ−Ｃに応じた駆動電圧Ｖａ，Ｖｂ，ＶｃをソースラインLineS-A，LineS-B，LineS-Cに供給する。駆動電圧Ｖａ，Ｖｂ，Ｖｃの各々は、対応する表示データＤ−Ａ，Ｄ−Ｂ，Ｄ−Ｃに応じた電圧値を示す。
【００６０】
ゲートドライバ１３は、コントローラ１１からの走査制御信号Ｓ１３に応じて、ゲートラインLineG-1，LineG-2，LineG-3のうちいずれか１つに走査信号を出力する。走査信号は、画素セルＰＡ１〜ＰＣ３の各々に含まれるスイッチング素子ＴＴをオンにする（活性化する）電圧である。
【００６１】
＜液晶駆動部の内部構成＞
図１に示した液晶駆動部１２の内部構成を図２に示す。液晶駆動部１２は、スイッチ制御部１０１と、階調電圧生成部１０２と、選択部１０３Ａ，１０３Ｂ，１０３Ｃと、オペアンプ１０４と、オペアンプ用スイッチ１０５Ａ−１，１０５Ａ−２，１０５Ｂ−１，１０５Ｂ−２，１０５Ｃ−１，１０５Ｃ−２と、電圧保持用スイッチ１０６Ａ，１０６Ｂ，１０６Ｃとを含む。
【００６２】
スイッチ制御部１０１は、所定のタイミングに応じて、制御信号ＳＡ−ＯＰ１，ＳＡ−ＯＰ２，ＳＡ−ＨＤ，ＳＢ−ＯＰ１，ＳＢ−ＯＰ２，ＳＢ−ＨＤ，ＳＣ−ＯＰ１，ＳＣ−ＯＰ２，ＳＣ−ＨＤを出力する。
【００６３】
階調電圧生成部１０２は、Ｎ個（Ｎは自然数）の階調電圧を生成する。Ｎ個の階調電圧の各々は、互いに電圧値が異なる。
【００６４】
選択部１０３Ａは、コントローラ１１（図１）からの表示データＤＡＴＡのうち画素データＤ−Ａを受ける。また、選択部１０３Ａは、階調電圧生成部１０２によって生成されたＮ個の階調電圧のうちその受け取った画素データＤ−Ａに応じた階調電圧を選択し、その選択した階調電圧を駆動電圧Ｖａとして出力する。選択部１０３Ｂ（１０３Ｃ）も、選択部１０３Ａと同様に、コントローラ１１からの画素データＤ−Ｂ（Ｄ−Ｃ）を受け取り、階調電圧生成部１０２によって生成されたＮ個の階調電圧のうちその受け取った画素データＤ−Ｂ（Ｄ−Ｃ）に応じた階調電圧を選択し、その選択した階調電圧を駆動電圧Ｖｂ（Ｖｃ）として出力する。
【００６５】
オペアンプ１０４は、いわゆるボルテージフォローア回路であり、入力した電圧を増幅する。
【００６６】
オペアンプ用スイッチ１０５Ａ−１は、選択部１０３Ａとオペアンプ１０４との間に接続され、制御信号ＳＡ−ＯＰ１を受ける。オペアンプ用スイッチ１０５Ｂ−１は、選択部１０３Ｂとオペアンプ１０４との間に接続され、制御信号ＳＢ−ＯＰ１を受ける。オペアンプ用スイッチ１０５Ｃ−１は、選択部１０３Ｃとオペアンプ１０４との間に接続され、制御信号ＳＣ−ＯＰ１を受ける。また、オペアンプ用スイッチ１０５Ａ−１，１０５Ｂ−１，１０５Ｃ−１は、スイッチ制御部１０１からの制御信号ＳＡ−ＯＰ１，ＳＢ−ＯＰ１，ＳＣ−ＯＰ１が「Ｈレベル」のときにはオンになり、「Ｌレベル」のときにはオフになる。
【００６７】
オペアンプ用スイッチ１０５Ａ−２は、オペアンプ１０４とソースラインLineS-Aとの間に接続され、制御信号ＳＡ−ＯＰ２を受ける。オペアンプ用スイッチ１０５Ｂ−２は、オペアンプ１０４とソースラインLineS-Bとの間に接続され、制御信号ＳＢ−ＯＰ２を受ける。オペアンプ用スイッチ１０５Ｃ−２は、オペアンプ１０４とソースラインLineS-Cとの間に接続され、制御信号ＳＣ−ＯＰ２を受ける。また、オペアンプ用スイッチ１０５Ａ−２，１０５Ｂ−２，１０５Ｃ−２は、スイッチ制御部１０１からの制御信号ＳＡ−ＯＰ２，ＳＢ−ＯＰ２，ＳＣ−ＯＰ２が「Ｈレベル」のときにはオンになり、「Ｌレベル」のときにはオフになる。
【００６８】
電圧保持用スイッチ１０６Ａは、選択部１０３ＡとソースラインLineS-Aとの間に接続され、制御信号ＳＡ−ＨＤを受ける。電圧保持用スイッチ１０６Ｂは、選択部１０３ＢとソースラインLineS-Bとの間に接続され、制御信号ＳＢ−ＨＤを受ける。電圧保持用スイッチ１０６Ｃは、選択部１０３ＣとソースラインLineS-Cとの間に接続され、制御信号ＳＣ−ＨＤを受ける。電圧保持用スイッチ１０６Ａ，１０６Ｂ，１０６Ｃは、スイッチ制御部１０１からの制御信号ＳＡ−ＨＤ，ＳＢ−ＨＤ，ＳＣ−ＨＤが「Ｈレベル」のときにはオンになり、「Ｌレベル」のときにはオフになる。
【００６９】
＜液晶表示装置による動作＞
次に、図１に示した液晶表示装置による動作について説明する。
【００７０】
まず、コントローラ１１は、ゲートドライバ１３に走査制御信号Ｓ１３を出力する。ゲートドライバ１３は、コントローラ１１からの走査制御信号Ｓ１３を受けると、液晶表示パネル１０のゲートラインLineG-1に走査信号を出力する。これにより、ゲートラインLineG-1に接続された画素セルＰＡ１，ＰＢ１，ＰＣ１に含まれるスイッチング素子ＴＴは、活性化する（オンになる）。
【００７１】
一方、コントローラ１１は、液晶駆動部１２に表示データＤＡＴＡを出力する。液晶駆動部１２は、コントローラ１１からの表示データＤＡＴＡを受けると、表示データＤＡＴＡに含まれる画素データＤ−Ａに応じた駆動電圧ＶａをソースラインLineS-Aに供給し、画素データＤ−Ｂに応じた駆動電圧ＶｂをソースラインLineS-Bに供給し、画素データＤ−Ｃに応じた駆動電圧ＶｃをソースラインLineS-Cに供給する。これにより、ソースラインLineS-Aに駆動電圧Ｖａが書き込まれ、ソースラインLineS-Bに駆動電圧Ｖｂが書き込まれ、ソースラインLineS-Cに駆動電圧Ｖｃが書き込まれる。
【００７２】
次に、ソースラインLineS-A（LineS-B，LineS-C）に対する駆動電圧Ｖａ（Ｖｂ，Ｖｃ）の書き込みが完了すると、コントローラ１１は、ゲートドライバ１３に走査制御信号Ｓ１３を出力する。ゲートドライバ１３は、コントローラ１１からの走査制御信号Ｓ１３を受けると、液晶表示パネル１０のゲートラインLineG-1への走査信号の出力を停止する。これにより、画素セルＰＡ１にソースラインLineS-Aの電圧ＶLineS-Aが保持される。また、画素セルＰＡ１と同様に、画素セルＰＢ１（ＰＣ１）にソースラインLineS-B（LineS-C）の電圧ＶLineS-B（ＶLineS-C）が保持される。また、ゲートドライバ１３は、コントローラ１１からの走査制御信号Ｓ１３を受けると、液晶表示パネル１０のゲートラインLineG-2に走査信号を出力する。一方、コントローラ１１は、液晶駆動部１２に表示データＤＡＴＡ（次の１水平ライン分の表示データ）を出力する。
【００７３】
このようにして、第１水平ライン（画素セルＰＡ１，ＰＢ１，ＰＣ１），第２水平ライン（画素セルＰＡ２，ＰＢ２，ＰＣ２），第３水平ライン（画素セルＰＡ３，ＰＢ３，ＰＣ３）の順番で、各々の画素セルに選択部１０３Ａ，１０３Ｂ，１０３Ｃからの駆動電圧Ｖａ，Ｖｂ，Ｖｃが保持される。
【００７４】
＜液晶駆動部による動作＞
次に、図２に示した液晶駆動部１２による動作について図３を参照しつつ説明する。
【００７５】
時刻ｔ１になると、ゲートドライバ１３は、ゲートラインLineG-1へ走査信号を出力する。また、選択部１０３Ａ（１０３Ｂ，１０３Ｃ）は、コントローラ１１からの画素データＤ−Ａ（Ｄ−Ｂ，Ｄ−Ｃ）を受け取り、階調電圧生成部１０２によって生成されたＮ個の階調電圧のうちその受け取った画素データＤ−Ａ（Ｄ−Ｂ，Ｄ−Ｃ）に応じた階調電圧を出力する。
【００７６】
また、タイミング制御部１０１は、制御信号ＳＡ−ＯＰ１，ＳＡ−ＯＰ２を「Ｈレベル」にする。これにより、ソースラインLineS-Aは、オペアンプ１０４を介して選択部１０３Ａに接続される。オペアンプ１０４は、選択部１０３Ａから出力された駆動電圧Ｖａを増幅する。オペアンプ１０４によって増幅された駆動電圧Ｖａは、ソースラインLineS-Aに供給される。次に、ソースラインLineS-Aにおける電圧ＶLineS-Aの電圧値は、駆動電圧Ｖａの電圧値Ｖ１になる（ソースラインLineS-Aに対する駆動電圧Ｖａの書き込みが完了する）。
【００７７】
時刻ｔ２になると、タイミング制御部１０１は、制御信号ＳＡ−ＯＰ１，ＳＡ−ＯＰ２を「Ｌレベル」にするとともに、制御信号ＳＡ−ＨＤを「Ｈレベル」にする。これにより、選択部１０３Ａからの駆動電圧Ｖａは、電圧保持用スイッチ１０６Ａを介してソースラインLineS-Aに供給される。したがって、ソースラインLineS-Aにおける電圧ＶLineS-Aは、図３のように駆動電圧Ｖａの電圧値Ｖ１に保持される。
【００７８】
また、タイミング制御部１０１は、制御信号ＳＢ−ＯＰ１，ＳＢ−ＯＰ２を「Ｈレベル」にする。これにより、ソースラインLineS-Bは、オペアンプ１０４を介して選択部１０３Ｂに接続される。オペアンプ１０４は、選択部１０３Ｂから出力された駆動電圧Ｖｂを増幅する。オペアンプ１０４によって増幅された駆動電圧Ｖｂは、ソースラインLineS-Bに供給される。次に、ソースラインLineS-Bにおける電圧ＶLineS-Bの電圧値は、駆動電圧Ｖｂの電圧値Ｖ２になる（ソースラインLineS-Bに対する駆動電圧Ｖｂの書き込みが完了する）。
【００７９】
時刻ｔ３になると、タイミング制御部１０１は、時刻ｔ２の場合と同様に、制御信号ＳＢ−ＯＰ１，ＳＢ−ＯＰ２を「Ｌレベル」にするとともに、制御信号ＳＢ−ＨＤを「Ｈレベル」にする。したがって、選択部１０３Ｂからの駆動電圧Ｖｂは、電圧保持用スイッチ１０６Ｂを介してソースラインLineS-Bに供給される。よって、ソースラインLineS-Bにおける電圧ＶLineS-Bは、図３のように駆動電圧Ｖｂの電圧値Ｖ２に保持される。
【００８０】
また、タイミング制御部１０１は、制御信号ＳＣ−ＯＰ１，ＳＣ−ＯＰ２を「Ｈレベル」にする。したがって、選択部１０３Ｃからの駆動電圧Ｖｃは、オペアンプ１０４を介してソースラインLineS-Cに供給される。次に、ソースラインLineS-Cにおける電圧ＶLineS-Cの電圧値は、駆動電圧Ｖｃの電圧値Ｖ３になる（ソースラインLineS-Cに対する駆動電圧Ｖｃの書き込みが完了する）。これにより、すべてのソースラインLineS-A，LineS-B，LineS-Cにおける駆動電圧の書き込みが完了する。
【００８１】
時刻ｔ４になると、タイミング制御部１０１は、時刻ｔ２の場合と同様に、制御信号ＳＣ−ＯＰ１，ＳＣ−ＯＰ２を「Ｌレベル」にするとともに、制御信号ＳＣ−ＨＤを「Ｈレベル」にする。これにより、選択部１０３Ｃからの駆動電圧Ｖｃは、電圧保持用スイッチ１０６Ｃを介してソースラインLineS-Cに供給される。したがって、ソースラインLineS-Cにおける電圧ＶLineS-Cは、図３のように、駆動電圧Ｖｃの電圧値Ｖ３に保持される。
【００８２】
時刻ｔ４〜ｔ５の期間では、タイミング制御部１０１は、制御信号ＳＡ−ＨＤ，ＳＢ−ＨＤ，ＳＣ−ＨＤを「Ｈレベル」にする。この期間中、ソースラインLineS-A，LineS-B，LineS-Cには、対応する選択部１０３Ａ，１０３Ｂ，１０３Ｃからの駆動電圧Ｖａ，Ｖｂ，Ｖｃが電圧保持用スイッチ１０６Ａ，１０６Ｂ，１０６Ｃを介して供給される。
【００８３】
時刻ｔ５になると、タイミング制御部１０１は、制御信号ＳＡ−ＨＤ，ＳＢ−ＨＤ，ＳＣ−ＨＤを「Ｌレベル」にする。また、ゲートドライバ１３は、ゲートラインLineG-1への走査信号の出力を停止する。これにより、画素セルＰＡ１にソースラインLineS-Aにおける電圧ＶLineS-Aが保持される。また、画素セルＰＡ１と同様に、画素セルＰＢ１（ＰＣ１）にソースラインLineS-B（LineS-C）の電圧ＶLineS-B（ＶLineS-C）が保持される。
【００８４】
このようにして、ソースラインLineS-A（LineS-B，LineS-C）に駆動電圧Ｖａ（Ｖｂ，Ｖｃ）を書き込むときには、選択部１０３Ａ（１０３Ｂ，１０３Ｃ）からの駆動電圧Ｖａ（Ｖｂ，Ｖｃ）は、オペアンプ１０４を介してソースラインLineS-A（LineS-B，LineS-C）に供給される。また、ソースラインLineS-A（LineS-B，LineS-C）の電圧ＶLineS-A（ＶLineS-B，ＶLineS-C）を保持する場合には、選択部１０３Ａ（１０３Ｂ，１０３Ｃ）からの駆動電圧Ｖａ（Ｖｂ，Ｖｃ）は、電圧保持用スイッチ１０６Ａ（１０６Ｂ，１０６Ｃ）を介してソースラインLineS-A（LineS-B，LineS-C）に供給される。
【００８５】
＜効果＞
以上のように、オペアンプ１０４を介してソースラインLineS-A（LineS-B，LineS-C）に駆動電圧Ｖａ（Ｖｂ，Ｖｃ）を供給することによって、ソースラインLineS-A（LineS-B，LineS-C）への駆動電圧Ｖａ（Ｖｂ，Ｖｃ）の書き込み（ソースラインLineS-A（LineS-B，LineS-C）の充電／放電）を迅速に行うことができる。これにより、液晶表示パネル１０における画像の再現を迅速に行うことができる。
【００８６】
また、ソースラインLineS-A（LineS-B，LineS-C）に対する駆動電圧Ｖａ（Ｖｂ，Ｖｃ）の書き込みが完了した後に、選択部１０３Ａ（１０３Ｂ，１０３Ｃ）からの駆動電圧Ｖａ（Ｖｂ，Ｖｃ）を電圧保持スイッチ１０６Ａ（１０６Ｂ，１０６Ｃ）を介してソースラインLineS-A（LineS-B，LineS-C）に供給することによって、ソースラインLineS-A（LineS-B，LineS-C）の電圧ＶLineS-A（ＶLineS-B，ＶLineS-C）の電圧値を駆動電圧Ｖａ（Ｖｂ，Ｖｃ）の電圧値に保持することができる。これにより、ソースラインLineS-A（LineS-B，LineS-C）における電圧変動を抑制することができ、液晶表示パネル１０に再現される画像の表示品質を向上することができる。
【００８７】
また、従来よりもオペアンプの個数を削減することができ、液晶駆動部の回路規模を低減することができる。
【００８８】
また、選択部１０３Ａ（１０３Ｂ，１０３Ｃ）からの駆動電圧Ｖａ（Ｖｂ，Ｖｃ）を電圧保持スイッチ１０６Ａ（１０６Ｂ，１０６Ｃ）を介してソースラインLineS-A（LineS-B，LineS-C）に供給することによって、ソースラインLineS-A（LineS-B，LineS-C）における電圧ＶLineS-A（ＶLineS-C，ＶLineS-C）の電圧値は、駆動電圧Ｖａ（Ｖｂ，Ｖｃ）の電圧値に収束していく。これにより、オペアンプ１０４における電流特性のばらつきによる影響を抑制することができる。つまり、オペアンプ１０が有する電流特性ばらつきによって、オペアンプ１０４から出力される駆動電圧とオペアンプ１０４に入力される駆動電圧とが正確に一致していなくても、ソースラインの電圧値を駆動電圧の電圧値に収束させることができる。
【００８９】
（第２の実施形態）
＜全体構成＞
この発明の第２の実施形態による液晶表示装置は、図１に示した液晶駆動部１２に代えて、図４に示す液晶駆動部２２を備える。その他の構成は、図１と同様である。
【００９０】
＜液晶駆動部の内部構成＞
本実施形態の液晶駆動部２２の内部構成を図４に示す。液晶駆動部２２は、図２に示したスイッチ制御部１０１に代えて、スイッチ制御部２０１を備える。また、液晶駆動部２２は、電力供給用スイッチ２０２をさらに備える。その他の構成は、図２と同様である。スイッチ制御部２０１は、図２に示したスイッチ制御部１０１が行う動作に加えて、制御信号Ｓ２０２の出力を行う。電力供給用２０２は、電源ノードとオペアンプ１０４との間に接続され、制御信号Ｓ２０２を受ける。また、電力供給用２０２は、制御信号Ｓ２０２が「Ｈレベル」のときにはオンになり、「Ｌレベル」のときにはオフになる。
【００９１】
＜動作＞
次に、図４に示した液晶駆動部２２による動作について図５を参照しつつ説明する。この装置では、図２に示した液晶駆動部１２による動作に加えて、オペアンプ１０４の駆動を制御する動作が行われる。
【００９２】
時刻ｔ１になると、タイミング制御部２０１は、制御信号Ｓ２０２を「Ｈレベル」にする。これにより、電源ノードからの電力がオペアンプ１０４に供給されるので、オペアンプ１０４は駆動状態になる。また、タイミング制御部２０１は、タイミング制御部１０１と同様に、オペアンプ用スイッチ１０５Ａ−１，１０５Ａ−２をオンにする。これにより、選択部１０３Ａからの駆動電圧Ｖａは、オペアンプ１０４を介してソースラインLineS-Aに供給される。
【００９３】
時刻ｔ２〜ｔ４の間、タイミング制御部２０１は、制御信号Ｓ２０２を「Ｈレベル」にする。したがって、オペアンプ１０４は、駆動状態を維持する。また、タイミング制御部２０１は、タイミング制御部１０１と同様の動作を行う。したがって、オペアンプ１０４は、選択部１０３Ｂからの駆動電圧Ｖｂ（選択部１０３Ｃからの駆動電圧Ｖｃ）を増幅して、その増幅した駆動電圧Ｖｂ（Ｖｃ）をソースラインLineS-B（LineS-C）に供給する。次に、ソースラインLineS-A，LineS-B，LineS-Cのすべてにおいて駆動電圧Ｖａ，Ｖｂ，Ｖｃの書き込みが完了する。
【００９４】
時刻ｔ４になると、タイミング制御部２０１は、タイミング制御部１０１と同様に、制御信号ＳＣ−ＯＰ１，ＳＣ−ＯＰ２を「Ｌレベル」にする。これにより、タイミング制御部２０１からの制御信号ＳＡ−ＯＰ１，ＳＡ−ＯＰ２，ＳＢ−ＯＰ１，ＳＢ−ＯＰ２，ＳＣ−ＯＰ１，ＳＣ−ＯＰ２はすべて「Ｌレベル」になるので、オペアンプ１０４は、ソースラインLineS-A，LineS-B，LineS-C（選択部１０３Ａ，１０３Ｂ，１０３Ｃ）のいずれにも接続されない。また、タイミング制御部２０１は、制御信号Ｓ２０２を「Ｌレベル」にする。これにより、オペアンプ１０４への電力供給が遮断されるので、オペアンプ１０４は、停止状態になる。
【００９５】
＜効果＞
以上のように、オペアンプ１０４による電圧の増幅が必要である場合（駆動電圧Ｖａ（Ｖｂ，Ｖｃ）の書き込みが完了する前）にはオペアンプ１０４を駆動し、オペアンプ１０４による電圧増幅の必要がない場合（駆動電圧Ｖａ（Ｖｂ，Ｖｃ）の書き込みが完了した後）にはオペアンプ１０４を停止することによって、オペアンプ１０４による無駄な電力消費を防ぐことができる。これにより、液晶駆動部２２による電力消費を低減することができる。
【００９６】
（第３の実施形態）
ソースラインLineS-Aを介してソースラインの電圧ＶLineS-Aが画素セルＰＡ１に書き込まれてからゲートラインがオフして画素セルＰＡ１が保持状態になるまでの時間が長くなるほど、ソースラインの電圧変動による影響を受ける可能性が高くなる。例えば、ソースラインLineS-Bへの書き込みよりもソースラインLineS-Aへの書き込みの方が先に完了した場合、ソースラインLineS-Aにおける電圧変動は、ソースラインLineS-Aにおける電圧変動よりも大きくなる可能性がある（つまり、各々のソースラインにおける電圧変動量がばらつく）。この場合、液晶表示パネル１０に再現される画像では表示品質が良い領域と表示品質が悪い領域とが混在してしまい、液晶表示パネル１０において表示品質が均一にならない。
【００９７】
したがって、ソースラインLineS-Aへの駆動電圧Ｖａの書き込みが完了してからゲートラインがオフして画素セルＰＡ１が保持状態になるまでの時間（遷移期間Ａ），ソースラインLineS-Bへの駆動電圧Ｖｂの書き込みが完了してからゲートラインがオフして画素セルＰＢ１が保持状態になるまでの時間（遷移期間Ｂ），ソースラインLineS-Cへの駆動電圧Ｖｃの書き込みが完了してからゲートラインがオフして画素セルＰＣ１が保持状態になるまでの時間（遷移期間Ｃ）の各々は、そろっている（同一の長さである）ことが望ましい。
【００９８】
＜構成＞
この発明の第３の実施形態による液晶表示装置の構成は、図１，図２と同様である。本実施形態では、スイッチ制御部１０１は、ソースラインLineS-A，LineS-B，LineS-Cに対するオペアンプ１０４の割り当てを時分割で行う。つまり、ソースラインLineS-A，LineS-B，LineS-Cへの駆動電圧の書き込みを時分割で行う。
【００９９】
＜動作＞
次に、本実施形態の液晶駆動部１２による動作について図６を参照しつつ説明する。
【０１００】
時刻ｔ３１になると、スイッチ制御部１０１は、制御信号ＳＡ−ＯＰ１，ＳＡ−ＯＰ２を「Ｈレベル」にする。これにより、選択部１０３Ａからの駆動電圧Ｖａは、オペアンプ１０４を介してソースラインLineS-Aに供給される。
【０１０１】
時刻ｔ３２になると、スイッチ制御部１０１は、制御信号ＳＡ−ＯＰ１，ＳＡ−ＯＰ２を「Ｌレベル」にするとともに、制御信号ＳＡ−ＨＤを「Ｈレベル」にする。これにより、選択部１０３Ａからの駆動電圧Ｖａは、電圧保持用スイッチ１０６Ａを介してソースラインLineS-Aに供給される。また、スイッチ制御部１０１は、制御信号ＳＢ−ＯＰ１，ＳＢ−ＯＰ２を「Ｈレベル」にする。これにより、選択部１０３Ｂからの駆動電圧Ｖｂは、オペアンプ１０４を介してソースラインLineS-Bに供給される。
【０１０２】
時刻ｔ３３になると、スイッチ制御部１０１は、制御信号ＳＢ−ＯＰ１，ＳＢ−ＯＰ２を「Ｌレベル」にするとともに、制御信号ＳＢ−ＨＤを「Ｈレベル」にする。これにより、選択部１０３Ｂからの駆動電圧Ｖｂは、電圧保持用スイッチ１０６Ｂを介してソースラインLineS-Bに供給される。また、スイッチ制御部１０１は、制御信号ＳＣ−ＯＰ１，ＳＣ−ＯＰ２を「Ｈレベル」にする。これにより、選択部１０３Ｃからの駆動電圧Ｖｃは、オペアンプ１０４を介してソースラインLineS-Cに供給される。
【０１０３】
時刻ｔ３４になると、スイッチ制御部１０１は、制御信号ＳＣ−ＯＰ１，ＳＣ−ＯＰ２を「Ｌレベル」にするとともに、制御信号ＳＣ−ＨＤを「Ｈレベル」にする。これにより、選択部１０３Ｃからの駆動電圧Ｖｃは、電圧保持用スイッチ１０６Ｃを介してソースラインLineS-Cに供給される。また、スイッチ制御部１０１は、制御信号ＳＡ−ＯＰ１，ＳＡ−ＯＰ２を「Ｈレベル」にする。これにより、選択部１０３Ａからの駆動電圧Ｖａは、オペアンプ１０４を介してソースラインLineS-Aに供給される。
【０１０４】
次に、時刻ｔ３５，ｔ３８では時刻ｔ３２の場合と同様の動作が行われ、時刻ｔ３６，ｔ３９では時刻ｔ３３の場合と同様の動作が行われ、時刻ｔ３７，ｔ４０では時刻ｔ３４の場合と同様の動作が行われる。
【０１０５】
次に、時刻ｔ４１になると、スイッチ制御部１０１は、時刻ｔ３２における動作と同様の動作を行う。これにより、選択部１０３Ａからの駆動電圧Ｖａは電圧保持用スイッチ１０６Ａを介してソースラインLineS-Aに供給され、選択部１０３Ｂからの駆動電圧Ｖｂはオペアンプ１０４を介してソースラインLineS-Bに供給される。
【０１０６】
次に、時刻ｔ４２になると、スイッチ制御部１０１は、時刻ｔ３３における動作と同様の動作を行う。これにより、選択部１０３Ｂからの駆動電圧Ｖｂは電圧保持用スイッチ１０６Ｂを介してソースラインLineS-Bに供給され、選択部１０３Ｃからの駆動電圧Ｖｃはオペアンプ１０４を介してソースラインLineS-Cに供給される。
【０１０７】
時刻ｔ４３になると、スイッチ制御部１０１は、制御信号ＳＣ−ＯＰ１，ＳＣ−ＯＰ２を「Ｌレベル」にするとともに、制御信号ＳＣ−ＨＤを「Ｈレベル」にする。これにより、選択部１０３Ｃからの駆動電圧Ｖｃは、電圧保持用スイッチ１０６Ｃを介してソースラインLineS-Cに供給される。
【０１０８】
時刻ｔ４４になると、タイミング制御部１０１は、制御信号ＳＡ−ＨＤ，ＳＢ−ＨＤ，ＳＣ−ＨＤを「Ｌレベル」にする。また、ゲートドライバ１３は、ゲートラインLineG-1への走査信号の出力を停止する。これにより、ソースラインLineS-Aを介して画素セルＰＡ１に書き込まれた電圧ＶLineS-Aが保持される。また、画素セルＰＡ１と同様に、画素セルＰＢ１（ＰＣ１）にソースラインLineS-B（LineS-C）の電圧ＶLineS-B（ＶLineS-C）が保持される。
【０１０９】
このようにして、ソースラインLineS-A（LineS-B，LineS-C）に対する駆動電圧Ｖａ（Ｖｂ，Ｖｃ）の書き込みを複数回に分けて行う。これにより、ソースラインLineS-A，LineS-B，LineS-Cの各々における駆動電圧の書き込み完了からゲートラインをオフして画素セルＰＡ１〜ＰＣ１が保持状態になるまでの時間をほぼ一致させることができる。
【０１１０】
＜効果＞
以上のように、ソースラインLineS-A，LineS-B，LineS-Cの書き込み完了時刻をほぼ同一させることによって、遷移期間Ａ，遷移期間Ｂ，遷移期間Ｃの各々をほぼ同一の長さにすることができる。したがって、ソースラインLineS-Aにおける電圧変動量，ソースラインLineS-Bにおける電圧変動量，ソースラインLineS-Cにおける電圧変動量をほぼ均一にすることができる。これにより、液晶表示パネル１０において表示品質を均一にすることができる。
【０１１１】
また、ソースラインLineS-A，LineS-B，LineS-Cにおける電圧の電圧値が駆動電圧Ｖａ，Ｖｂ，Ｖｃの電圧値に達するまでの時間（達成度）を均一にすることができるので、ソースラインLineS-A，LineS-B，LineS-Cに対する駆動電圧の書き込みを同時に行っているように見せることができる。
【０１１２】
なお、本実施形態では、１つのソースラインに対する駆動電圧の書き込みを４回に分割して行っているが、４回に限らず、５回以上であっても構わない。
【０１１３】
（第４の実施形態）
＜構成＞
この発明の第４の実施形態による液晶表示装置は、図２に示した階調電圧生成部１０２に代えて、図７に示す階調電圧生成部４０２を備える。その他の構成は、図１，図２と同様である。
【０１１４】
＜階調電圧生成部の内部構成＞
本実施形態の階調電圧生成部４０２の内部構成を図７に示す。階調電圧生成部４０２は、ラダー抵抗４１１（抵抗Ｒ４１１−１〜Ｒ４１１−４）と、オペアンプ４１２−１〜４１２−４とを含む。抵抗Ｒ４１１−１〜Ｒ４１１−４は、電源ノードと接地ノードとの間に直列に接続される。オペアンプ４１２−１は、ラダー抵抗４１１のノードＮ４１１−１（抵抗Ｒ４１１−１と抵抗Ｒ４１１−２との相互接続ノード）と選択部１０３Ａとの間に接続される。オペアンプ４１２−２は、ラダー抵抗４１１のノードＮ４１１−２（抵抗Ｒ４１１−２と抵抗Ｒ４１１−３との相互接続ノード）と選択部１０３Ａとの間に接続される。オペアンプ４１２−３は、ラダー抵抗４１１のノードＮ４１１−３（抵抗Ｒ４１１−３と抵抗Ｒ４１１−４との相互接続ノード）と選択部１０３Ａとの間に接続される。オペアンプ４１２−４は、ラダー抵抗４１１のノードＮ４１１−４（抵抗Ｒ４１１−４と接地ノードとの相互接続ノード）と選択部１０３Ａとの間に接続される。
【０１１５】
なお、図７では階調電圧生成部４０２と選択部１０３Ａとの接続関係を示したが、階調電圧生成部４０２と選択部１０３Ｂとの接続関係，および階調電圧生成部４０２と選択部１０３Ｃとの接続関係も図７と同様である。
【０１１６】
また、図７は、階調電圧生成部４０２の出力が「４つ」である場合（「Ｎ＝４」の場合）を示している。
【０１１７】
＜動作＞
次に、図７に示した階調電圧生成部４０２による動作について説明する。
【０１１８】
抵抗Ｒ４１１−１〜Ｒ４１１−４は、電源ノードと接地ノードとの間における電圧を抵抗分割する。これにより、互いに電圧値が異なる４つの階調電圧が、それぞれノードＮ４１１−１〜Ｎ４１１−４に発生する。
【０１１９】
次に、オペアンプ４１２−１は、ラダー抵抗４１１のノードＮ４１１−１に発生した階調電圧を増幅して、その増幅した階調電圧を選択部１０３Ａ（選択部１０３Ｂ，１０３Ｃ）に供給する。オペアンプ４１２−２〜４１２−４も、オペアンプ４１２−１と同様に、ラダー抵抗４１１のノードＮ４１１−２〜Ｎ４１１−４に発生した階調電圧を選択部１０３Ａ（選択部１０３Ｂ，１０３Ｃ）に供給する。
【０１２０】
このようにして、ラダー抵抗４１１（抵抗Ｒ４１１−１〜Ｒ４１１−４）によって生成された階調電圧は、オペアンプ４１２−１〜４１２−４によって増幅された後、選択部１０３Ａ〜１０３Ｃの各々に供給される。
【０１２１】
＜効果＞
以上のように、階調電圧生成部４０２からの階調電圧が増幅されることによって、電圧保持用スイッチ１０６Ａ（１０６Ｂ，１０６Ｃ）介してソースラインLineS-A（LineS-B，LineS-C）に供給される階調電圧のインピーダンスを低くすることができる。これにより、ソースラインLineS-A，LineS-B，LineS-Cの各々における電圧変動をさらに抑制することができる。
【０１２２】
（第５の実施形態）
＜構成＞
この発明の第５の実施形態による液晶表示装置は、図２に示した階調電圧生成部４０２に代えて、図８に示す階調電圧生成部５０２を備える。また、タイミング制御部１０１は、所定のタイミングに応じて、制御信号Ｓ５１２，Ｓ５１３−１〜Ｓ５１３−４を出力する。その他の構成は、図１，図２と同様である。
【０１２３】
＜階調電圧生成部＞
本実施形態の階調電圧生成部５０２は、図７に示したオペアンプ４１２−１〜４１２−４に代えて、ラダー抵抗５１１（抵抗Ｒ５１１−１〜Ｒ５１１−４）と、電力供給用スイッチ５１２と、接続用スイッチ５１３−１〜５１３−４とを含む。その他の構成は図７と同様である。
【０１２４】
電力供給用スイッチ５１２，抵抗Ｒ５１１−１〜Ｒ５１１−４は、電源ノードと接地ノードとの間に直列に接続される。電力供給用スイッチ５１２は、電源ノードと抵抗Ｒ５１１−１との間に接続され、制御信号Ｓ５１２を受ける。接続スイッチ５１３−１は、ラダー抵抗４１１のノードＮ４１１−１とラダー抵抗５１１のノードＮ５１１−１（抵抗Ｒ５１１−１と抵抗Ｒ５１１−２との相互接続ノード）との間に接続され、制御信号Ｓ５１３−１を受ける。接続スイッチ５１３−２は、ラダー抵抗４１１のノードＮ４１１−２とラダー抵抗５１１のノードＮ５１１−２（抵抗Ｒ５１１−２と抵抗Ｒ５１１−３との相互接続ノード）との間に接続され、制御信号Ｓ５１３−２を受ける。接続スイッチ５１３−３は、ラダー抵抗４１１のノードＮ４１１−３とラダー抵抗５１１のノードＮ５１１−３（抵抗Ｒ５１１−３と抵抗Ｒ５１１−４との相互接続ノード）との間に接続され、制御信号Ｓ５１３−３を受ける。接続スイッチ５１３−４は、ラダー抵抗４１１のノードＮ４１１−４とラダー抵抗５１１のノードＮ５１１−４（抵抗Ｒ５１１−４と接地ノードとの相互接続ノード）との間に接続され、制御信号Ｓ５１３−４を受ける。
【０１２５】
電力供給用スイッチ５１２は、制御信号Ｓ５１２が「Ｈレベル」のときにはオンになり、「Ｌレベル」のときにはオフになる。接続用スイッチ５１３−１〜５１３−４は、対応する制御信号Ｓ５１３−１〜Ｓ５１３−４が「Ｈレベル」のときにはオンになり、「Ｌレベル」のときにはオフになる。
【０１２６】
＜動作＞
次に、図８に示した階調電圧生成部５０２による動作について図９を参照しつつ説明する。
【０１２７】
時刻ｔ０〜ｔ４の間、タイミング制御部１０１は、制御信号Ｓ５１２，Ｓ５１３−１〜Ｓ５１３−４を「Ｌレベル」にする。また、タイミング制御部１０１は、第１の実施形態と同様に、オペアンプ１０４を用いてソースラインLineS-A，LineS-B，LineS-Cに対する駆動電圧の書き込みを行い、電圧保持用スイッチ１０６Ａ，１０６Ｂを用いて駆動電圧の保持を行う。
【０１２８】
時刻ｔ４になると、タイミング制御部１０１は、第１の実施形態の場合と同様に、制御信号ＳＣ−ＯＰ１，ＳＣ−ＯＰ２を「Ｌレベル」にする。これにより、タイミング制御部２０１からの制御信号ＳＡ−ＨＤ，ＳＢ−ＨＤ，ＳＣ−ＨＤはすべて「Ｈレベル」になるので、選択部１０３Ａは電圧保持用スイッチ１０６Ａを介してソースラインLineS-Aに接続され、選択部１０３Ｂは電圧保持用スイッチ１０６Ｂを介してソースラインLineS-Bに接続され、選択部１０３Ｃは電圧保持用スイッチ１０６Ｃを介してソースラインLineS-Cに接続される。また、タイミング制御部１０１は、制御信号Ｓ５１３−１〜Ｓ５１３−４を「Ｈレベル」にする。これにより、ラダー抵抗５１１のノードＮ５１１−１〜Ｎ５１１−４は、ラダー抵抗４１１のノードＮ４１１−１〜Ｎ４１１−４に接続される。また、タイミング制御部１０１は、制御信号Ｓ５１２を「Ｈレベル」にする。これにより、ラダー抵抗４１１のノードＮ４１１−１〜Ｎ４１１−４に流れる電流が多くなる。したがって、階調電圧生成部５０２から出力される階調電圧のインピーダンスは、低くなる。
【０１２９】
このように、選択部１０３Ａ（１０３Ｂ，１０３Ｃ）が電圧保持用スイッチ１０６Ａ（１０６Ｂ，１０６Ｃ）を介してソースラインLineS-A（LineS-B，LineS-C）に接続されるときには、階調電圧生成部５０２から選択部１０３Ａ（１０３Ｂ，１０３Ｃ）に供給される階調電圧のインピーダンスは低くなる。
【０１３０】
＜効果＞
以上のように、ソースラインLineS-A（LineS-B，LineS-C）に書き込んだ駆動電圧Ｖａ（Ｖｂ，Ｖｃ）を保持するときに、ソースラインLineS-A，LineS-B，LineS-Cの各々に供給される電流が増加する（選択部１０３Ａ（１０３Ｂ，１０３Ｃ）から供給される駆動電圧Ｖａ（Ｖｂ，Ｖｃ）のインピーダンスが低くなる）。これにより、ソースラインLineS-A，LineS-B，LineS-Cの各々における電圧変動をさらに抑制することができる。
【０１３１】
なお、以上の実施形態の説明では、液晶表示パネルに３本のソースラインと３本のゲートラインとが設けられた例について示したが、ソースライン，ゲートラインの本数はこれに限らず、４本以上あっても構わない。１本のソースラインに対して、選択部（選択部１０３Ａに相当する選択部），オペアンプ用スイッチ（オペアンプ用スイッチ１０５Ａ−１，１０５Ａ−２に相当するスイッチ），電圧保持用スイッチ（電圧保持用スイッチ１０６Ａに相当するスイッチ）が設けられていれば良い。
【０１３２】
また、１つのオペアンプに対して割り当てられるソースラインの本数は、３本に限らす、４本以上であっても構わない。また、例えば、液晶表示パネルの画素が３つの画素セル（画素のＲ（red）成分に対応する画素セルＲ，画素のＧ（green）成分に対応する画素セルＧ，画素のＢ（blue）成分に対応する画素セルＢ）によって構成される場合、１つのオペアンプに対してＲ用ソースライン（画素セルＲが接続されたソースライン），Ｇ用ソースライン（画素セルＧが接続されたソースライン），Ｂ用ソースライン（画素セルＢが接続されたソースライン）を割り当ててもよい。
【０１３３】
なお、スイッチ制御部１０１が制御信号を「Ｈレベル」（または「Ｌレベル」）にするタイミングは、任意に設定することができる。例えば、液晶表示パネルの種類・規模や、表示データＤＡＴＡのフレーム周期等に応じてそのタイミングを設定してやれば、ソースラインLineS-A，LineS-B，LineS-Cに対する駆動電圧の書き込みを円滑に実行することができる。
【０１３４】
また、アモルファスＴＦＴを例に挙げて説明した箇所があるが、本発明における液晶表示パネルに用いられるスイッチング素子は、アモルファスＴＦＴに限らない。
【産業上の利用可能性】
【０１３５】
以上説明したように、本発明は、回路規模を低減でき、かつ、ソースラインの電圧変動を抑制できるので、液晶表示装置等として有用である。
【図面の簡単な説明】
【０１３６】
【図１】この発明の第１の実施形態による液晶表示装置の全体構成を示す図である。
【図２】図１に示した液晶駆動部の内部構成を示す図である。
【図３】図２に示した液晶駆動部による動作を説明するためのタイミングチャートである。
【図４】この発明の第２の実施形態による液晶駆動部の内部構成を示す図である。
【図５】図４に示した液晶駆動部による動作について説明するためのタイミングチャートである。
【図６】この発明の第３の実施形態による液晶駆動部の動作について説明するためのタイミングチャートである。
【図７】この発明の第４の実施形態による階調電圧生成部の内部構成を示す図である。
【図８】この発明の第５の実施形態による階調電圧生成部の内部構成を示す図である。
【図９】この発明の第５の実施形態による液晶駆動部の動作について説明するためのタイミングチャートである。
【図１０】従来の液晶駆動装置の全体構成を示す図である。
【図１１】図１０に示した液晶駆動装置による動作について説明するためのタイミングチャートである。
【図１２】従来の液晶駆動装置の全体構成を示す図である。
【符号の説明】
【０１３７】
１０    液晶パネル
１１    コントローラ
１２    液晶駆動部
１３    ゲートドライバ
LineS-A，LineS-B，LineS-C    ソースライン
LineG-1，LineG-2，LineG-3    ゲートライン
ＰＡ１〜ＰＡ３，ＰＢ１〜ＰＢ３，ＰＣ１〜ＰＣ３    画素セル
ＴＦＴ    スイッチング素子
ＬＣ    液晶素子
ＶＣＯＭ    対向電極
１０１，２０１    スイッチ制御部
１０２，４０２，５０２    階調電圧生成部
１０３Ａ〜１０３Ｃ    選択部
１０４    オペアンプ
105A-1，105A-2，105B-1，105B-2，105C-1，105C-2    オペアンプ用スイッチ
１０６Ａ，１０６Ｂ，１０６Ｃ    電圧保持用スイッチ
２０２，５１２    電力供給用スイッチ
Ｒ４１１−１〜Ｒ４１１−４，Ｒ５１１−１〜Ｒ５１１−４    抵抗
４１２−１〜４１２−４    オペアンプ
５１３−１〜５１３−４    接続スイッチ
【図１】
2006285018.tif 000003
【図２】
2006285018.tif 000004
【図３】
2006285018.tif 000005
【図４】
2006285018.tif 000006
【図５】
2006285018.tif 000007
【図６】
2006285018.tif 000008
【図７】
2006285018.tif 000009
【図８】
2006285018.tif 000010
【図９】
2006285018.tif 000011
【図１０】
2006285018.tif 000012
【図１１】
2006285018.tif 000013
【図１２】
2006285018.tif 000014